(57)【要約】【課題】  集束性レンズアレイの物体距離と像面距離の両方を必要に応じて簡単に調整することが可能でありながら、構造が簡単で装置の小型化に寄与することが可能な画像印刷装置を提供する。【解決手段】  電子写真方式を利用した画像印刷装置に、集束性レンズアレイ４０と感光体ドラム１１０の間隔ならびに発光パネル１０と集束性レンズアレイ４０の間隔を同時に調整可能な調整機構５０が設けられている。調整機構５０の一例では、カム５６と、カム５６に追従して移動すると同時に感光体ドラム１１０を移動させる第１のカムフォロワ６２と、カム５６に追従して移動すると同時に発光パネル１０を移動させる第２のカムフォロワ６４が設けられている。【選択図】  図５
2007076028.tif 000002
【特許請求の範囲】
【請求項１】
像担持体と、
前記像担持体を帯電する帯電器と、
与えられた電気エネルギにより発光特性または光の透過特性が変化する複数の電気光学素子が配列された電気光学パネルと、
前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、
前記潜像にトナーを付着させることにより前記像担持体に顕像を形成する現像器と、
前記像担持体から前記顕像を他の物体に転写する転写器と、
前記集束性レンズアレイと前記像担持体の間隔ならびに前記電気光学パネルと前記集束性レンズアレイの間隔を同時に調整可能な調整機構とを備える画像印刷装置。
【請求項２】
前記調整機構は、前記集束性レンズアレイを支持するレンズアレイ支持体と、
前記レンズアレイ支持体に回転可能に取り付けられたカムと、
前記カムに追従して移動すると同時に前記像担持体を移動させる第１のカムフォロワと、
前記カムに追従して移動すると同時に前記電気光学パネルを移動させる第２のカムフォロワとを有することを特徴とする請求項１に記載の画像印刷装置。
【請求項３】
前記調整機構はネジ部材を有し、このネジ部材は、
前記像担持体を移動させる第１のネジ部と、
前記電気光学パネルを移動させる第２のネジ部とを有しており、
前記第１のネジ部と前記第２のネジ部は、互いに同軸に配置されているとともに、
前記第１のネジ部と前記第２のネジ部の一方は右ネジ、他方は左ネジであることを特徴とする請求項１に記載の画像印刷装置。
【請求項４】
前記調整機構を作動させたときに、集束性レンズアレイと前記像担持体の間隔の変位と、前記電気光学パネルと前記集束性レンズアレイの間隔の変位が異なることを特徴とする請求項１から請求項３のいずれか１項に記載の画像印刷装置。
【請求項５】
像担持体と、
前記像担持体を帯電する帯電器と、
与えられた電気エネルギにより発光特性または光の透過特性が変化する複数の電気光学素子が配列された電気光学パネルと、
前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、
前記潜像にトナーを付着させることにより前記像担持体に顕像を形成する現像器と、
前記像担持体から前記顕像を他の物体に転写する転写器と、
前記集束性レンズアレイを支持するレンズアレイ支持体と、
前記レンズアレイ支持体に回転可能に取り付けられたカムと、
前記カムに接触しているとともに、前記像担持体に対する相対位置が不変の第１のカムフォロワと、
前記カムに接触しているとともに、前記電気光学パネルに対する相対位置が不変の第２のカムフォロワとを備える画像印刷装置。
【請求項６】
像担持体と、
前記像担持体を帯電する帯電器と、
与えられた電気エネルギにより発光特性または光の透過特性が変化する複数の電気光学素子が配列された電気光学パネルと、
前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、
前記潜像にトナーを付着させることにより前記像担持体に顕像を形成する現像器と、
前記像担持体から前記顕像を他の物体に転写する転写器と、
前記集束性レンズアレイを支持するレンズアレイ支持体と、
前記像担持体に対する相対位置が不変の像担持体側移動部と、
前記電気光学パネルに対する相対位置が不変の電気光学パネル側移動部と、
前記レンズアレイ支持体に支持されているとともに、両端がそれぞれ前記像担持体側移動部と前記電気光学パネル側移動部に連結されたネジ部材とを備え、
前記ネジ部材の少なくとも一端は、前記像担持体側移動部と前記電気光学パネル側移動部の少なくとも一方にネジにより嵌め合わせられており、前記ネジ部材の回転により前記像担持体側移動部と前記電気光学パネル側移動部の少なくとも一方を前記ネジ部材の軸線方向に移動させる画像印刷装置。
【発明の詳細な説明】
【技術分野】
【０００１】
本発明は、電子写真方式の画像印刷装置、特に、発光素子またはライトバルブ素子のような電気光学素子が配列された電気光学パネルで潜像を書き込む画像印刷装置に関する。
【背景技術】
【０００２】
電子写真方式の画像印刷装置の像担持体（例えば感光体ドラム）に静電潜像を書き込むために、例えばエレクトロルミネセント素子（以下、「ＥＬ素子」と呼ぶ）のアレイパネルまたは液晶パネルのような電気光学パネルを使用する技術が開発されている。このような技術では、一般的に、電気光学パネルと像担持体の間に集束性レンズアレイが配置される（例えば、特許文献１〜特許文献４）。集束性レンズアレイとしては、例えば日本板硝子株式会社から入手可能なＳＬＡ(セルフォック・レンズ・アレイ)がある（セルフォック＼ＳＥＬＦＯＣは日本板硝子株式会社の登録商標）。
【０００３】
このような画像印刷装置では、電気光学パネルと集束性レンズアレイとの距離（物体距離）および集束性レンズアレイと像担持体の感光面との距離（像面距離）が、感光面における像の解像度、ひいては印刷品質に大きな影響を与える。しかし、集束性レンズアレイには製造バラツキがあるため、個別の集束性レンズアレイに合わせて物体距離および像面距離を調整することが普通であり、そのための技術が提案されている。例えば特許文献１〜３の各々には、像面距離を調整する機構が開示されている。
【０００４】
【特許文献１】特許第３１７８６２３号
【特許文献２】特許第２９４４０９０号
【特許文献３】特許第２６２０６３９号
【特許文献４】特許第２６２５７０２号
【発明の開示】
【発明が解決しようとする課題】
【０００５】
しかし、物体距離と像面距離をそれぞれ調節する複数の機構を画像印刷装置に設けると、その構造が複雑になり小型化が難しい。また、複数の機構のそれぞれの操作が煩雑になる。
【０００６】
物体距離と像面距離の一方（例えば像担持体側の像面距離）のみを調整することも考えられるが、この場合には、像の解像度がいくぶん劣ることになる。
【０００７】
そこで、本発明は、集束性レンズアレイの物体距離と像面距離の両方を必要に応じて簡単に調整することが可能でありながら、構造が簡単で装置の小型化に寄与することが可能な画像印刷装置を提供する。
【課題を解決するための手段】
【０００８】
本発明に係る画像印刷装置の一つの態様は、像担持体と、前記像担持体を帯電する帯電器と、与えられた電気エネルギにより発光特性または光の透過特性が変化する複数の電気光学素子が配列された電気光学パネルと、前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、前記潜像にトナーを付着させることにより前記像担持体に顕像を形成する現像器と、前記像担持体から前記顕像を他の物体に転写する転写器と、前記集束性レンズアレイと前記像担持体の間隔ならびに前記電気光学パネルと前記集束性レンズアレイの間隔を同時に調整可能な調整機構とを備える。
【０００９】
ここで、「電気光学素子」とは、与えられた電気的なエネルギにより光学的特性（発光特性または光の透過特性）が変化する素子を意味する。電気的なエネルギにより光学的特性が変化する素子としては、電気的なエネルギを光学的エネルギに変換する発光素子（例えばエレクトロルミネセント発光素子、プラズマディスプレイ素子）および電気的エネルギにより光の透過率が変化するライトバルブ画素（例えば液晶の画素、電気泳動ディスプレイの画素）がある。「電気光学パネル」は、電気光学素子のアレイが設けられたパネルである。「像担持体」とは、感光体ドラムまたは感光体ベルトである。
【００１０】
この構成によれば、調整機構により、集束性レンズアレイと前記像担持体の間隔ならびに前記電気光学パネルと前記集束性レンズアレイの間隔を同時に調整可能である。従って、構造が簡単で装置を小型化することが可能であり、操作も簡単である。
【００１１】
前記調整機構は、前記集束性レンズアレイを支持するレンズアレイ支持体と、前記レンズアレイ支持体に回転可能に取り付けられたカムと、前記カムに追従して移動すると同時に前記像担持体を移動させる第１のカムフォロワと、前記カムに追従して移動すると同時に前記電気光学パネルを移動させる第２のカムフォロワとを有するものでよい。この調整機構では、カムの回転に伴い、第１のカムフォロワが像担持体を伴って移動し、第２のカムフォロワが電気光学パネルを伴って移動する。この調整機構によれば、構造が簡単で装置を小型化することが可能であり、操作も簡単である。
【００１２】
他方、前記調整機構はネジ部材を有し、このネジ部材は、前記像担持体を移動させる第１のネジ部と、前記電気光学パネルを移動させる第２のネジ部とを有しており、前記第１のネジ部と前記第２のネジ部は、互いに同軸に配置されているとともに、前記第１のネジ部と前記第２のネジ部の一方は右ネジ、他方は左ネジであってもよい。この調整機構では、ネジ部材の回転に伴い、第１のネジ部が像担持体を移動させ、第２のカムフォロワが電気光学パネルを移動させる。この調整機構によれば、構造が簡単で装置を小型化することが可能であり、操作も簡単である。ここで、「ネジ部」はオネジでもメネジでもよい。
【００１３】
前記調整機構を作動させたときに、集束性レンズアレイと前記像担持体の間隔の変位と、前記電気光学パネルと前記集束性レンズアレイの間隔の変位が異なってもよい。集束性レンズアレイの物体距離の理想値つまり設計値と、像面距離の理想値つまり設計値は、互いに等しいことが一般的であるが、おそらくは製造のバラツキにより、これらが相違することがありうる。また、電気光学パネルの発光波長もしくは透過波長の特性またはパネル内の層の屈折によっては、物体距離と像面距離を等しくすることが必ずしも解像度の向上につながらないことがある。これらの場合には、集束性レンズアレイに相対する像担持体の変位と電気光学パネルの変位を異ならせることが良好な結果をもたらす。
【００１４】
本発明に係る画像印刷装置の他の一つの態様は、像担持体と、前記像担持体を帯電する帯電器と、与えられた電気エネルギにより発光特性または光の透過特性が変化する複数の電気光学素子が配列された電気光学パネルと、前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、前記潜像にトナーを付着させることにより前記像担持体に顕像を形成する現像器と、前記像担持体から前記顕像を他の物体に転写する転写器と、前記集束性レンズアレイを支持するレンズアレイ支持体と、前記レンズアレイ支持体に回転可能に取り付けられたカムと、前記カムに接触しているとともに、前記像担持体に対する相対位置が不変の第１のカムフォロワと、前記カムに接触しているとともに、前記電気光学パネルに対する相対位置が不変の第２のカムフォロワとを備える。
【００１５】
この構成によれば、カムの回転に伴い、第１のカムフォロワが像担持体を伴って移動し、第２のカムフォロワが電気光学パネルを伴って移動することが可能であり、集束性レンズアレイと前記像担持体の間隔ならびに前記電気光学パネルと前記集束性レンズアレイの間隔を同時に調整可能である。従って、構造が簡単で装置を小型化することが可能であり、操作も簡単である。また、カムの形状を選択することにより、カムの回転に伴う第１のカムフォロワひいては像担持体の変位と、第２のカムフォロワひいては電気光学パネルの変位を一致させることもできるし、異ならせることもでき、さらには、像担持体と電気光学パネルの一方が静止している間に他方が移動するようにすることも可能である。
【００１６】
本発明に係る画像印刷装置の他の一つの態様は、像担持体と、前記像担持体を帯電する帯電器と、与えられた電気エネルギにより発光特性または光の透過特性が変化する複数の電気光学素子が配列された電気光学パネルと、前記電気光学パネルから進行する光を透過させて前記電気光学パネル上の像に対する正立像を前記像担持体に結像可能な屈折率分布型レンズが複数配列されて、複数の前記屈折率分布型レンズで得られた像が１つの連続した像を構成するようにして、前記像担持体の帯電された面に潜像を形成する集束性レンズアレイと、前記潜像にトナーを付着させることにより前記像担持体に顕像を形成する現像器と、前記像担持体から前記顕像を他の物体に転写する転写器と、前記集束性レンズアレイを支持するレンズアレイ支持体と、前記像担持体に対する相対位置が不変の像担持体側移動部と、前記電気光学パネルに対する相対位置が不変の電気光学パネル側移動部と、前記レンズアレイ支持体に支持されているとともに、両端がそれぞれ前記像担持体側移動部と前記電気光学パネル側移動部に連結されたネジ部材とを備え、前記ネジ部材の少なくとも一端は、前記像担持体側移動部と前記電気光学パネル側移動部の少なくとも一方にネジにより嵌め合わせられており、前記ネジ部材の回転により前記像担持体側移動部と前記電気光学パネル側移動部の少なくとも一方を前記ネジ部材の軸線方向に移動させる。
【００１７】
ここで「連結」とは、オネジがメネジに嵌め合わせられた状態と、単に穴に物体が挿入された状態の両方を含む。この構成によれば、ネジ部材の回転に伴い、像担持体と電気光学パネル像担持体の少なくとも一方をネジ部材の軸線方向に移動させることが可能であり、必要に応じて両方をネジ部材の軸線方向に同時に移動させることが可能である。この機構は、構造が簡単で装置を小型化することが可能であり、操作も簡単である。また、ネジ部材の形状を選択することにより、ネジ部材の回転に伴う像担持体の変位と、電気光学パネルの変位を一致させることもできるし、異ならせることもでき、さらには、像担持体と電気光学パネルの一方が静止している間に他方が移動するようにすることも可能である。
【発明を実施するための最良の形態】
【００１８】
以下、添付の図面を参照しながら本発明に係る様々な実施の形態を説明する。これらの図面においては、各部の寸法の比率は実際のものとは適宜に異ならせてある。
【００１９】
＜第１の実施の形態＞
図１は、本発明の第１の実施の形態に係る画像印刷装置１の概略を示す正面図であり、図２は図１のII−II線矢視断面図である。図に例示された画像印刷装置１は、電子写真方式を利用しており、像担持体（例えば図２に示すように感光体ドラム１１０）を有する。感光体ドラム１１０は、画像印刷装置の筐体に固定された軸受１３により支持されている軸１２を中心として回転する。
【００２０】
また、画像印刷装置１は、感光体ドラム１１０に潜像を書き込むためのライン型の光ヘッドとしての発光パネル（電気光学パネル）１０と、発光パネル２０に重ねられた集束性レンズアレイ４０を有する。発光パネル１０では、複数の有機ＥＬ素子（電気光学素子）が同一平面上に配列されている。集束性レンズアレイ４０は、ＥＬ素子アレイが設けられた発光パネル１０と感光体ドラム１１０の間に配置されている。発光パネル１０の有機ＥＬ素子アレイからの光は、集束性レンズアレイ４０の複数の屈折率分布型レンズを透過し、感光体ドラム１１０に到達する。
【００２１】
図３に示すように、集束性レンズアレイ４０は、複数の屈折率分布型レンズ４２を有する。屈折率分布型レンズ４２の各々は、中心軸すなわち光軸での屈折率が低く、中心軸から離れるほど屈折率が高くなるように形成されたグレーデッドインデックス光ファイバであり、発光パネル１０から進行する光を透過させて発光パネル１０上の像に対する正立像を感光体ドラム１１０に結像可能である。これらの複数の屈折率分布型レンズ４２で得られた像は感光体ドラム１１０上で１つの連続した像を構成する。集束性レンズアレイ４０の具体例には、例えば日本板硝子株式会社から入手可能なＳＬＡ(セルフォック・レンズ・アレイ)がある
【００２２】
図４はこの画像印刷装置における集束性レンズアレイ４０と発光パネル１０を示す平面図である。図４に示すように、屈折率分布型レンズ４２は、二列かつ千鳥状のパターンで配列されており、集束性レンズアレイ４０の筐体に固定されている。これらの屈折率分布型レンズ４２は、発光パネル１０のＥＬ素子が設けられた領域に重なっている。屈折率分布型レンズ４２の配列パターンは図示の形態に限定されず、単列または三列以上でもよいし他の適切なパターンで配列されていてもよい。
【００２３】
図１および図２に示すように、集束性レンズアレイ４０はレンズアレイ支持体４４に包囲された状態でレンズアレイ支持体４４に支持されている。また発光パネル１０はフレーム２２の底部に固定されている。図１では省略するが、フレーム２２は、底部から感光体ドラム１１０側に向けて延びる側壁を有する。集束性レンズアレイ４０はレンズアレイ支持体４４とともに、発光パネル１０の側壁に挟まれており、発光パネル１０から集束性レンズアレイ４０までの光路に外部の光が入ることが側壁により防止されている。
【００２４】
このような集束性レンズアレイ４０の設計上の光学寸法として、共役距離ＴＣ（物体・像面間距離）、物体距離Ｌ０および像面距離Ｌ１がある。物体距離Ｌ０は、集束性レンズアレイ４０の光の入射面と発光パネル１０（より正確には発光パネル１０の発光位置）の間の距離であり、像面距離Ｌ１は、集束性レンズアレイ４０の光の出射面と感光体ドラム１１０の感光面の間の距離である。共役距離ＴＣは、発光パネル１０（より正確には発光パネル１０の発光位置）と感光体ドラム１１０の感光面の間の距離である。
これらの光学寸法の設計上の理想値の関係を集束性レンズアレイの長さＺを用いて表すと、式（１）および式（２）の通りである。
ＴＣ＝Ｌ０＋Ｚ＋Ｌ１  ．．．（１）
Ｌ０＝Ｌ１  ．．．（２）
【００２５】
これらの光学寸法ＴＣ，Ｌ０，Ｌ１は設計上定まっており、設計上は像面距離Ｌ１および物体距離Ｌ０は等しい。しかし、集束性レンズアレイには製造バラツキがあるため、この実施の形態では、個別の集束性レンズアレイに合わせて物体距離Ｌ０および像面距離Ｌ１を調整する調整機構５０を有する。図１に示すように、感光体ドラム１１０の両端の軸受１３の付近に二つの調整機構５０が設けられている。
【００２６】
各調整機構５０は、第１のピン５２と第２のピン５４を有しており、これらのピンはレンズアレイ支持体４４に支持されている。第１のピン５２の一方の先端面は、球の一部のような湾曲面として形成されており、この面は、軸受１３に固定された突き当て板１４に接触する。第２のピン５２の一方の先端面も、球の一部のような湾曲面として形成されており、この面は、フレーム２２の底部に固定された突き当て板２４に接触する。図示しないが、レンズアレイ支持体４４は、バネまたはその他の適切な弾性体から形成された押し付け部材により、感光体ドラム１１０側に押し付けられており、これにより第１のピン５２の球状の先端面は常に突き当て板１４に接触する。また、図示しないが、発光パネル１０が固定されたフレーム２２も、バネまたはその他の適切な弾性体から形成された押し付け部材により、集束性レンズアレイ４０側に押し付けられており、これにより第２のピン５４の球状の先端面は常に突き当て板２４に接触する。調整機構５０の他の詳細は、図５およびそれ以降の図を参照して説明する。
【００２７】
図５は、図１の部分Ｖを拡大した図であり、右側の調整機構５０の詳細を示し、図６は図５の側面図である。図１の左側の調整機構５０も右側の調整機構５０と同じ構造である。調整機構５０の各々は、レンズアレイ支持体４４に回転可能に取り付けられたカム５６と、カム５６に接触する二つのカムフォロワ６２，６４を有する。カム５６は板カムであり、その回転中心となる軸５８の一端はレンズアレイ支持体４４に取り付けられている。軸５８の他端には、人間の指で操作される円板状のダイアル６０が固定されており、作業者はダイアル６０とともにカム５６を回転させるように操作することが可能である。
【００２８】
図６に示すように、カム５６の輪郭は楕円形であり、その外周面には第１のカムフォロワ６２と第２のカムフォロワ６４が接触している。第１のカムフォロワ６２は、カム５６の回転に追従して、図の上下方向に移動し、第２のカムフォロワ６４は、カム５６の回転に追従して、第１のカムフォロワ６２とは逆向きに図の上下方向に移動する。図示しないが、カムフォロワ６２，６４が図の上下方向に移動可能になるようにガイドを設けると好ましい。
【００２９】
第１のカムフォロワ６２には、感光体ドラム１１０側の第１のピン５２が取り付けられており、第２のカムフォロワ６４には発光パネル１０側の第２のピン５４が取り付けられている。上述の通り、感光体ドラム１１０の軸受１３に固定された突き当て板１４に第１のピン５２の球状の先端面は常に接触し、発光パネル１０が固定されたフレーム２２に固定された突き当て板２４に第２のピン５４の球状の先端面は常に接触する（図１参照）。従って、第１のカムフォロワ６２は感光体ドラム１１０に対する相対位置が不変であり、カム５６の回転に追従して、図の上下方向に移動すると同時に感光体ドラム１１０を上下方向に移動させる。同様に、第２のピン５４は発光パネル１０に対する相対位置が不変であり、カム５６の回転に追従して、図の上下方向に移動すると同時に発光パネル１０を感光体ドラム１１０とは逆向きに上下方向に移動させる。
【００３０】
カムフォロワ６２，６４は、楕円形の輪郭のカム５６の回転中心軸線を挟む対称の位置に配置されているので、カム５６の回転に伴うカムフォロワ６２，６４の変位は互いに等しい。図６に、カム５６の回転に伴う第１のカムフォロワ６２の最大変位ΔＬ１ｍと、第２のカムフォロワ６４の最大変位ΔＬ０ｍを示す。図６から明らかなように、ΔＬ１ｍ＝ΔＬ０ｍ＞０である。このように、カム５６の回転に伴う第１のカムフォロワ６２ひいては感光体ドラム１１０の変位は、カム５６の回転に伴う第２のカムフォロワ６４ひいては発光パネル１０の変位に等しい。従って、調整機構５０を作動させたとき（カム５６を回転させたとき）に、集束性レンズアレイ４０と感光体ドラム１１０の間隔の変位と、発光パネル１０と集束性レンズアレイ４０の間隔の変位は等しい。
【００３１】
図示しないが、調整機構５０には、カム５６をレンズアレイ支持体４４に固定する機構が設けられている。これにより、作業者は所望の回転角度でカム５６をレンズアレイ支持体４４に固定して、集束性レンズアレイ４０と感光体ドラム１１０の間隔と、発光パネル１０と集束性レンズアレイ４０の間隔を固定することができる。
【００３２】
この構成によれば、調整機構５０により、集束性レンズアレイ４０と感光体ドラム１１０の間隔ならびに発光パネル１０と集束性レンズアレイ４０の間隔を同時に調整可能である。従って、構造が簡単で画像印刷装置１を小型化することが可能であり、操作も簡単である。
【００３３】
図７は、第１の実施の形態の変形例の調整機構５０Ａを示す。調整機構５０Ａは、調整機構５０のカム５６とは異なるカム５６Ａを有する。カム５６Ａは、図８に示す半楕円６６と半円６８が結合した形状の輪郭を有する。半円６８は円をその直径で切断した形状であり、半楕円６６は、その元の円の直径と等しい長さの短軸を有する楕円を短軸で切断した形状である。カム５６Ａにおいて、半円６８の直径と半楕円６６の短軸は接しており、半円６８の元の円の中心および半楕円６６の元の楕円の中心を通るように軸５８が配置されている。このカム５６Ａでは、中心の軸５８から外周面までの距離が、半楕円６６に相当する部分では変化するが、半円６８に相当する部分では一定である。
【００３４】
図７に示すように、カム５６Ａのうち半楕円６６に相当する部分に第１のカムフォロワ６２が接触し、半円６８に相当する部分に第２のカムフォロワ６４が接触する角度範囲でカム５６Ａを回転させた場合、第１のカムフォロワ６２が変位するのに対して、第２のカムフォロワ６４は変位しない。図７に、カム５６Ａの回転に伴う第１のカムフォロワ６２の最大変位ΔＬ１ｍａと、第２のカムフォロワ６４の最大変位ΔＬ０ｍａを示す。図７から明らかなように、ΔＬ１ｍａ＞０であるが、ΔＬ０ｍａ＝０である。このように、カム５６Ａの回転に伴い第１のカムフォロワ６２ひいては感光体ドラム１１０は変位するが、第２のカムフォロワ６４ひいては発光パネル１０は変位しない。従って、調整機構５０を作動させたとき（カム５６Ａを回転させたとき）に、発光パネル１０と集束性レンズアレイ４０の間隔を固定したまま、集束性レンズアレイ４０と感光体ドラム１１０の間隔を変位させることができる。図示しないが逆に、カム５６Ａのうち半円６８に相当する部分に第１のカムフォロワ６２が接触し、半楕円６６に相当する部分に第２のカムフォロワ６４が接触する角度範囲でカム５６Ａを回転させた場合、カム５６Ａの回転に伴って、第１のカムフォロワ６２が変位せず集束性レンズアレイ４０と感光体ドラム１１０の間隔が固定のまま、第２のカムフォロワ６４が変位して集束性レンズアレイ４０と発光パネル１０の間隔を変位させることができる。
【００３５】
図９は、第１の実施の形態の他の変形例の調整機構５０Ｂを示す。調整機構５０Ｂは、さらに他の形状のカム５６Ｂを有する。カム５６Ｂは、図１０に示す半楕円７０と半楕円７２が結合した形状の輪郭を有する。半楕円７０は楕円をその短軸で切断した形状であり、半楕円７２は、半楕円７０の元の楕円の短軸と等しい長さの短軸と、半楕円７０の元の楕円の長軸より短い長軸を有する楕円を短軸で切断した形状である。カム５６Ｂにおいて、半楕円７０の短軸と半楕円７２の短軸は接しており、半楕円７０の元の円の中心および半楕円７２の元の円の中心を通るように軸５８が配置されている。このカム５６Ｂでは、中心の軸５８から外周面までの距離が、半楕円７０に相当する部分では大きく変化するが、半楕円７２に相当する部分では小さく変化する。
【００３６】
図９に示すように、カム５６Ｂのうち半楕円７０に相当する部分に第１のカムフォロワ６２が接触し、半楕円７２に相当する部分に第２のカムフォロワ６４が接触する角度範囲でカム５６Ｂを回転させた場合、第１のカムフォロワ６２が大きく変位するのに対して、第２のカムフォロワ６４は小さく変位する。図９に、カム５６Ｂの回転に伴う第１のカムフォロワ６２の最大変位ΔＬ１ｍｂと、第２のカムフォロワ６４の最大変位ΔＬ０ｍｂを示す。図９から明らかなように、ΔＬ１ｍｂ＞ΔＬ０ｍｂ＞０である。このように、カム５６Ｂの回転に伴い第１のカムフォロワ６２ひいては感光体ドラム１１０は大きく変位するが、第２のカムフォロワ６４ひいては発光パネル１０は小さく変位する。従って、調整機構５０を作動させたとき（カム５６Ｂを回転させたとき）に、発光パネル１０と集束性レンズアレイ４０の間隔を少し変位させ、集束性レンズアレイ４０と感光体ドラム１１０の間隔を大きく変位させることができる。図示しないが逆に、カム５６Ｂのうち半楕円７２に相当する部分に第１のカムフォロワ６２が接触し、半楕円７０に相当する部分に第２のカムフォロワ６４が接触する角度範囲でカム５６Ｂを回転させた場合、カム５６Ｂの回転に伴って、第１のカムフォロワ６２が小さく変位し集束性レンズアレイ４０と感光体ドラム１１０の間隔がわずかに変位し、第２のカムフォロワ６４が大きく変位して集束性レンズアレイ４０と発光パネル１０の間隔を大きく変位させることができる。
【００３７】
上記の通り、集束性レンズアレイ４０の物体距離Ｌ０の理想値つまり設計値と、像面距離Ｌ１の理想値つまり設計値は、互いに等しいことが一般的であるが、おそらくは製造のバラツキにより、これらが相違することがありうる。また、発光パネル１０の発光波長もしくは透過波長の特性またはパネル内の層の屈折によっては、物体距離Ｌ０と像面距離Ｌ１を等しくすることが必ずしも解像度の向上につながらないことがある。これらの場合には、集束性レンズアレイ４０に相対する感光体ドラム１１０の変位と発光パネル１０の変位を異ならせることが良好な結果をもたらす。
【００３８】
以上のように、第１の実施の形態および変形例のいずれの調整機構も、構造が簡単で画像印刷装置１を小型化することが可能であり、操作も簡単である。また、カムの形状を選択して交換することにより、第１の実施の形態を上記のいずれかの変形例に修正することも可能であるし、逆も可能であるし、図７および図８の変形例を図９および図１０の変形例に修正することも可能である。よって、カムの回転に伴う第１のカムフォロワ６２ひいては感光体ドラム１１０の変位と、第２のカムフォロワ６４ひいては発光パネル１０の変位を一致させることもできるし、異ならせることもでき、さらには、感光体ドラム１１０と発光パネル１０の一方が静止している間に他方が移動するようにすることも可能である。上述の例示した輪郭のカムのほかに他の輪郭のカムを準備しておいてもよい。
【００３９】
このように多種類のカムを準備したとしても、カムの選択のためにあまり混乱することは少ないと考えられる。集束性レンズアレイ４０の製造誤差による光学寸法（ＴＣ，Ｌ０，Ｌ１）の実際の値は、一般に一つのロットではほぼ同じであるので、あるロットのうちの一つの集束性レンズアレイ４０に使用するカムを決定すれば、同じロットの他の集束性レンズアレイ４０にも同じカムを使用してもよいことが多いと考えられるためである。
【００４０】
以上のように、第１の実施の形態では、板カムが使用されているが、直進カム、平面溝カム、またはその他の適切なカムを使用してもよく、このような変形は本発明の範囲内である。
【００４１】
＜第２の実施の形態＞
次に本発明の第２の実施の形態を説明する。第２の実施の形態では、第１の実施の形態と比較して調整機構の詳細が異なる。図１から図４に示す構成は、第２の実施の形態の画像印刷装置にも同様に使用されている。
【００４２】
図１１は、図１の部分Ｖを拡大した図であり、第２の実施の形態に係る調整機構の詳細を示す。但し、第２の実施の形態に係る調整機構を示すために、図１１では符号５０ではなく符号８０を使用する。第２の実施の形態では、図１の左側の調整機構（図１では符号５０で示す）も右側の調整機構８０と同じ構造である。
【００４３】
第２の実施の形態の調整機構８０の各々にも、図１に示すように、第１のピン５２と第２のピン５４がレンズアレイ支持体４４に支持されており、第１のピン５２の一方の先端面は、球の一部のような湾曲面として形成されており、この面は、軸受１３に固定された突き当て板１４に接触する。第２のピン５２の一方の先端面も、球の一部のような湾曲面として形成されており、この面は、フレーム２２の底部に固定された突き当て板２４に接触する。図示しないが、レンズアレイ支持体４４は、バネまたはその他の適切な弾性体から形成された押し付け部材により、感光体ドラム１１０側に押し付けられており、これにより第１のピン５２の球状の先端面は常に突き当て板１４に接触する。また、図示しないが、発光パネル１０が固定されたフレーム２２も、バネまたはその他の適切な弾性体から形成された押し付け部材により、集束性レンズアレイ４０側に押し付けられており、これにより第２のピン５４の球状の先端面は常に突き当て板２４に接触する。
【００４４】
図１１に示すように、調整機構８０の各々は、レンズアレイ支持体４４に支持されたネジ部材８２を有する。ネジ部材８２は、その中央に円板状のダイアル８４を有しており、ダイアル８４には第１のネジ部８６と第２のネジ部８８が固定されている。ネジ部８６，８８はオネジである。第１のネジ部８６と第２のネジ部８８は、ダイアル８４に同軸に配置されており、ダイアル８４と一体成形されている。
【００４５】
ダイアル８４は、レンズアレイ支持体４４の端面から突出する凸壁４４ａ，４４ｂの間に配置されており、これによりネジ部材８２はレンズアレイ支持体４４に相対して定位置に支持されている。ダイアル８４は人間の指で操作される。従って、作業者はダイアル８４とともにネジ部材８２をその中心軸を中心に回転させるように操作することが可能である。
【００４６】
第１のネジ部８６と第２のネジ部８８の一方は右ネジ、他方は左ネジである。図示の例では、第１のネジ部８６は右ネジであり、第２のネジ部８８は左ネジである。第１のネジ部８６は、第１のシース（像担持体側移動部）９０に形成されたメネジに嵌め合わせられており、第２のネジ部８８は、第２のシース（電気光学パネル側移動部）９２に形成されたメネジに嵌め合わせられている。シース９０，９２がネジ部材８２と一緒に回転しないように、図示しない回り止めが調整機構８０に設けられている。従って、第１のシース９０は、ネジ部材８２の回転に追従して、図の上下方向に移動し、第２のシース９２は、ネジ部材８２の回転に追従して、第１のシース９０とは逆向きに図の上下方向に移動する。
【００４７】
第１のシース９０には、感光体ドラム１１０側の第１のピン５２が取り付けられており、第２のシース９２には発光パネル１０側の第２のピン５４が取り付けられている。上述の通り、感光体ドラム１１０の軸受１３に固定された突き当て板１４に第１のピン５２の先端面は常に接触し、発光パネル１０が固定されたフレーム２２に固定された突き当て板２４に第２のピン５４の先端面は常に接触する（図１参照）。従って、第１のシース９０は感光体ドラム１１０に対する相対位置が不変であり、ネジ部材８２の回転に追従して、図の上下方向に移動すると同時に感光体ドラム１１０を上下方向に移動させる。同様に、第２のピン５４は発光パネル１０に対する相対位置が不変であり、ネジ部材８２の回転に追従して、図の上下方向に移動すると同時に発光パネル１０を感光体ドラム１１０とは逆向きに上下方向に移動させる。
【００４８】
ネジ部材８２において、第１のネジ部８６のリードは第２のネジ部８８のリードと等しいので、ネジ部材８２の回転に伴う第１のシース９０ひいては感光体ドラム１１０の変位は、ネジ部材８２の回転に伴う第２のシース９２ひいては発光パネル１０の変位に等しい。すなわち、調整機構８０を作動させたとき（ネジ部材８２を回転させたとき）に、集束性レンズアレイ４０と感光体ドラム１１０の間隔の変位と、発光パネル１０と集束性レンズアレイ４０の間隔の変位は等しい。作業者は所望の回転角度でネジ部材８２の回転を停止して、集束性レンズアレイ４０と感光体ドラム１１０の間隔と、発光パネル１０と集束性レンズアレイ４０の間隔を固定することができる。
【００４９】
この構成によれば、調整機構８０により、集束性レンズアレイ４０と感光体ドラム１１０の間隔ならびに発光パネル１０と集束性レンズアレイ４０の間隔を同時に調整可能である。従って、構造が簡単で画像印刷装置１を小型化することが可能であり、操作も簡単である。
【００５０】
図１２は、第２の実施の形態の変形例の調整機構８０Ａを示す。調整機構８０Ａは、調整機構８０のネジ部材８２とは異なるネジ部材８２Ａを有する。ネジ部材８２Ａは、その中央に円板状のダイアル８４を有しており、ダイアル８４にはネジ部８６と直線状の丸棒部８８Ａが固定されている。ネジ部８６はオネジである。ネジ部８６と丸棒部８８Ａは、ダイアル８４に同軸に配置されており、ダイアル８４と一体成形されている。
【００５１】
ネジ部材８２Ａのネジ部８６は、第１のシース９０に形成されたメネジに嵌め合わせられる一方、丸棒部８８Ａは、第２のシース（電気光学パネル側移動部）９２Ａに形成された貫通しない丸穴に挿入されている。第２のシース９２Ａには発光パネル１０側の第２のピン５４が取り付けられている。第２のシース９２Ａの穴には、メネジが形成されていてもよいしメネジが形成されていなくてもよい。発光パネル１０が固定されたフレーム２２が、図示しない押し付け部材により、集束性レンズアレイ４０側に押し付けられていることにより、第２のシース９２Ａの穴の底面は、丸棒部８８Ａの端面に常に接触する。この変形として、ネジ部材８２Ａの代わりにネジ部材８２を使用して、第２のシース９２Ａに形成された丸穴は第２のネジ部８８の外径よりも大きくし、その丸穴にはメネジを形成しないようにして、第２のシース９２Ａの穴の底面は第２のネジ部８８の端面に常に接触するもよい。
【００５２】
この構成では、ネジ部材８２Ａの回転に伴い第１のシース９０ひいては感光体ドラム１１０は変位するが、第２のシース９２Ａひいては発光パネル１０は変位しない。従って、調整機構８０を作動させたとき（ネジ部材８２Ａを回転させたとき）に、発光パネル１０と集束性レンズアレイ４０の間隔を固定したまま、集束性レンズアレイ４０と感光体ドラム１１０の間隔を変位させることができる。
【００５３】
図示しないが逆に、ネジ部材のうち第１のシース側を第１のシースに形成された穴にネジの嵌め合わせをせずに単に挿入し、ネジ部材のうち第２のシース側のネジ部を第２のシースに形成されたメネジに嵌め合わせてもよい。この場合には、ネジ部材８２Ａを回転させると、ネジ部材８２Ａの回転に伴って、第１のシース９０が変位せず集束性レンズアレイ４０と感光体ドラム１１０の間隔が固定のまま、第２のシース９２が変位して集束性レンズアレイ４０と発光パネル１０の間隔を変位させることができる。
【００５４】
図１３は、第２の実施の形態の他の変形例の調整機構８０Ｂを示す。図１３の調整機構８０Ｂは、基本的には、上述した図１１の調整機構８０と同じであり、ネジ部材（符号８２Ｂ）で示す第１のネジ部８６と第２のネジ部（符号８８Ｂで示す）の一方は右ネジ、他方は左ネジであるが、第２のネジ部８８Ｂは、第１のネジ部８６のリードよりも小さいリードを有する。第２のネジ部８８Ｂが嵌め合わせられる第２のシース（符号９２Ｂで示す）のメネジのリードも、第１のネジ部８６が嵌め合わせられる第１のシース９０のメネジのリードよりも小さい。
【００５５】
従って、ネジ部材８２Ｂを回転させた場合、第１のシース９０ひいては感光体ドラム１１０は大きく変位するが、第２のシース９２ひいては発光パネル１０は小さく変位する。従って、調整機構８０を作動させたとき（ネジ部材８２Ｂを回転させたとき）に、発光パネル１０と集束性レンズアレイ４０の間隔を少し変位させ、集束性レンズアレイ４０と感光体ドラム１１０の間隔を大きく変位させることができる。
【００５６】
図示しないが逆に、第２のネジ部８８Ｂと第２のシース９２Ｂのメネジのリードを第１のネジ部８６と第１のシース９０のメネジのリードよりも大きくすれば、ネジ部材８２Ｂの回転に伴って、第１のシース９０が小さく変位し集束性レンズアレイ４０と感光体ドラム１１０の間隔がわずかに変位し、第２のシース９２が大きく変位して集束性レンズアレイ４０と発光パネル１０の間隔を大きく変位させることができる。
【００５７】
上記の通り、集束性レンズアレイ４０の物体距離Ｌ０の理想値つまり設計値と、像面距離Ｌ１の理想値つまり設計値は、互いに等しいことが一般的であるが、おそらくは製造のバラツキにより、これらが相違することがありうる。また、発光パネル１０の発光波長もしくは透過波長の特性またはパネル内の層の屈折によっては、物体距離Ｌ０と像面距離Ｌ１を等しくすることが必ずしも解像度の向上につながらないことがある。これらの場合には、集束性レンズアレイ４０に相対する感光体ドラム１１０の変位と発光パネル１０の変位を異ならせることが良好な結果をもたらす。
【００５８】
以上のように、第２の実施の形態および変形例のいずれの調整機構も、構造が簡単で画像印刷装置１を小型化することが可能であり、操作も簡単である。また、ネジ部材の形状を選択して、ネジ部材およびシース（例えば第２のシース９２，９２Ａ，９２Ｂ）を交換することにより、第２の実施の形態を上記のいずれかの変形例に修正することも可能であるし、逆も可能であるし、図１２の変形例を図１３の変形例に修正することも可能である。よって、ネジ部材の回転に伴う第１のシースひいては感光体ドラム１１０の変位と、第２のシースひいては発光パネル１０の変位を一致させることもできるし、異ならせることもでき、さらには、感光体ドラム１１０と発光パネル１０の一方が静止している間に他方が移動するようにすることも可能である。
【００５９】
このように複数種類のネジ部材を準備したとしても、ネジ部材の選択のためにあまり混乱することは少ないと考えられる。集束性レンズアレイ４０の製造誤差による光学寸法（ＴＣ，Ｌ０，Ｌ１）の実際の値は、一般に一つのロットではほぼ同じであるので、あるロットのうちの一つの集束性レンズアレイ４０に使用するネジ部材を決定すれば、同じロットの他の集束性レンズアレイ４０にも同じネジ部材を使用してもよいことが多いと考えられるためである。
【００６０】
以上のように、第２の実施の形態では、ネジ部材のネジ部にオネジが使用されているが、図１４に示すように、ネジ部材のネジ部にメネジを使用してもよく、このような変形は本発明の範囲内である。図１４に示す調整機構８０Ｃにおいて、ネジ部材８２Ｃは、その中央に円板状のダイアル８４を有しており、ダイアル８４にはシース９４，９６が一体成形されている。シース９４，９６にはメネジが形成されており、これらのメネジは、ダイアル８４に同軸に配置されている。ネジ部材８２Ｃは、レンズアレイ支持体４４の端面から突出する凸壁４４ｃ，４４ｄこれによりレンズアレイ支持体４４に相対して定位置に支持されている。
【００６１】
シース９４，９６のメネジの一方は右ネジ、他方は左ネジである。図示の例では、シース９６のメネジは右ネジであり、シース９４のメネジは左ネジである。シース９４のメネジには、感光体ドラム１１０側の第１のピン５２の端部に形成されたオネジ（像担持体側移動部）５２ａが嵌め合わせられており、シース９６のメネジには、発光パネル１０側の第２のピン５４の端部に形成されたオネジ（電気光学パネル側移動部）５４ａが嵌め合わせられている。ピン５２，５４がネジ部材８２Ｃと一緒に回転しないように、図示しない回り止めが調整機構８０Ｃに設けられている。従って、第１のピン５２は、ネジ部材８２Ｃの回転に追従して、図の上下方向に移動し、第２のピン５４は、ネジ部材８２の回転に追従して、第１のピン５２とは逆向きに図の上下方向に移動する。
【００６２】
この構成によれば、調整機構８０Ｃにより、集束性レンズアレイ４０と感光体ドラム１１０の間隔ならびに発光パネル１０と集束性レンズアレイ４０の間隔を同時に調整可能である。従って、構造が簡単で画像印刷装置１を小型化することが可能であり、操作も簡単である。また、ネジ部材８２Ｃおよびピンを他のものに交換することにより、ネジ部材の回転に伴う第１のピンひいては感光体ドラム１１０の変位と、第２のピンひいては発光パネル１０の変位を一致させることもできるし、異ならせることもでき、さらには、感光体ドラム１１０と発光パネル１０の一方が静止している間に他方が移動するようにすることも可能である。
【００６３】
＜画像印刷装置の全体構成＞
上述したように、本発明に係る画像印刷装置１は、電子写真方式を利用した画像印刷装置における像担持体に潜像を書き込むためのライン型の光ヘッドとして用いることが可能である。画像印刷装置の例としては、プリンタ、複写機の印刷部分およびファクシミリの印刷部分がある。
【００６４】
図１５は、画像印刷装置１の全体構成の一例を示す縦断面図である。この画像印刷装置は、ベルト中間転写体方式を利用したタンデム型のフルカラー画像印刷装置である。
【００６５】
この画像印刷装置では、同様な構成の４個の有機ＥＬアレイ露光ヘッド１０Ｋ，１０Ｃ，１０Ｍ，１０Ｙが、同様な構成である４個の感光体ドラム（像担持体）１１０Ｋ，１１０Ｃ，１１０Ｍ，１１０Ｙの露光位置にそれぞれ配置されている。有機ＥＬアレイ露光ヘッド１０Ｋ，１０Ｃ，１０Ｍ，１０Ｙは上述した画像印刷装置１０，１０Ａ，１０Ｂのいずれかである。
【００６６】
図１５に示すように、この画像印刷装置には、駆動ローラ１２１と従動ローラ１２２が設けられており、これらのローラ１２１，１２２には無端の中間転写ベルト１２０が巻回されて、矢印に示すようにローラ１２１，１２２の周囲を回転させられる。図示しないが、中間転写ベルト１２０に張力を与えるテンションローラなどの張力付与手段を設けてもよい。
【００６７】
この中間転写ベルト１２０の周囲には、互いに所定間隔をおいて４個の外周面に感光層を有する感光体ドラム１１０Ｋ，１１０Ｃ，１１０Ｍ，１１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００６８】
各感光体ドラム１１０（Ｋ，Ｃ，Ｍ，Ｙ）の周囲には、コロナ帯電器１１１（Ｋ，Ｃ，Ｍ，Ｙ）と、有機ＥＬアレイ露光ヘッド１０（Ｋ，Ｃ，Ｍ，Ｙ）と、現像器１１４（Ｋ，Ｃ，Ｍ，Ｙ）が配置されている。コロナ帯電器１１１（Ｋ，Ｃ，Ｍ，Ｙ）は、対応する感光体ドラム１１０（Ｋ，Ｃ，Ｍ，Ｙ）の外周面を一様に帯電させる。有機ＥＬアレイ露光ヘッド１０（Ｋ，Ｃ，Ｍ，Ｙ）は、上記の発光パネル１０であり、感光体ドラムの帯電させられた外周面に静電潜像を書き込む。有機ＥＬアレイ露光ヘッド１０（Ｋ，Ｃ，Ｍ，Ｙ）と感光体ドラム１１０（Ｋ，Ｃ，Ｍ，Ｙ）の間には、集束性レンズアレイ４０が設けられるが、図１５では集束性レンズアレイ４０の図示を省略する。各有機ＥＬアレイ露光ヘッド１０（Ｋ，Ｃ，Ｍ，Ｙ）は、上記の複数のＥＬ素子の配列方向が感光体ドラム１１０（Ｋ，Ｃ，Ｍ，Ｙ）の母線（主走査方向）に沿うように設置される。静電潜像の書き込みは、複数のＥＬ素子により光を感光体ドラムに照射することにより行う。現像器１１４（Ｋ，Ｃ，Ｍ，Ｙ）は、静電潜像に現像剤としてのトナーを付着させることにより感光体ドラムに顕像すなわち可視像を形成する。
【００６９】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされて、この結果フルカラーの顕像が得られる。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００７０】
最終的に画像を形成する対象としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００７１】
次に、本発明に係る画像印刷装置の他の実施の形態について説明する。
図１６は、画像印刷装置１の全体構成の他の例の縦断面図である。この画像印刷装置は、ベルト中間転写体方式を利用したロータリ現像式のフルカラー画像印刷装置である。図１６に示す画像印刷装置において、感光体ドラム（像担持体）１６５の周囲には、コロナ帯電器１６８、ロータリ式の現像ユニット１６１、有機ＥＬアレイ露光ヘッド１６７、中間転写ベルト１６９が設けられている。
【００７２】
コロナ帯電器１６８は、感光体ドラム１６５の外周面を一様に帯電させる。有機ＥＬアレイ露光ヘッド１６７は、感光体ドラム１６５の帯電させられた外周面に静電潜像を書き込む。有機ＥＬアレイ露光ヘッド１６７は、上述した発光パネル１０であり、複数のＥＬ素子の配列方向が感光体ドラム１６５の母線（主走査方向）に沿うように設置される。静電潜像の書き込みは、上記の複数のＥＬ素子により光を感光体ドラムに照射することにより行う。有機ＥＬアレイ露光ヘッド１６７と感光体ドラム１６５の間には、集束性レンズアレイ４０が設けられるが、図１６では集束性レンズアレイ４０の図示を省略する。
【００７３】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【００７４】
無端の中間転写ベルト１６９は、駆動ローラ１７０ａ、従動ローラ１７０ｂ、一次転写ローラ１６６およびテンションローラに巻回されて、これらのローラの周囲を矢印に示す向きに回転させられる。一次転写ローラ１６６は、感光体ドラム１６５から顕像を静電的に吸引することにより、感光体ドラムと一次転写ローラ１６６の間を通過する中間転写ベルト１６９に顕像を転写する。
【００７５】
具体的には、感光体ドラム１６５の最初の１回転で、露光ヘッド１６７によりイエロー（Ｙ）像のための静電潜像が書き込まれて現像器１６３Ｙにより同色の顕像が形成され、さらに中間転写ベルト１６９に転写される。また、次の１回転で、露光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム９が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【００７６】
画像印刷装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近および離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００７７】
上記のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再度定着器１７２で定着処理が行われた後、排紙ローラ対１７６でシートが排出される。
【００７８】
以上、画像印刷装置１の全体構成を例示したが、他の電子写真方式の画像印刷装置にも本発明に係る画像印刷装置１を応用することが可能であり、そのような画像印刷装置は本発明の範囲内にある。例えば、中間転写ベルトを使用せずに感光体ドラムから直接シートに顕像を転写するタイプの画像印刷装置や、モノクロの画像を形成する画像印刷装置でもよいし、感光体ドラムの代わりに感光体ベルトを使用する画像印刷装置でもよい。
【００７９】
＜変形例＞
また、上記の電気光学装置では、発光素子を有する発光パネルに集束性レンズアレイ４０が取り付けられているが、多数のライトバルブ画素を有するライトバルブパネルに集束性レンズアレイを取り付けてもよい。ライトバルブ画素は、与えられる電気的エネルギにより光の透過率が変化する画素であり、例えば液晶の画素、エレクトロケミカルディスプレイの画素、電気泳動ディスプレイの画素、分散粒子配向型ディスプレイの画素が含まれる。これらは、いずれも別個の光源からの光の透過量を調整する。発光パネル１０の代わりに、例えば液晶パネルのようなライトバルブパネルをマイクロレンズアレイに取り付けて、別個の光源からの光がライトバルブパネルと集束性レンズアレイを透過するようにすることが可能である。
【図面の簡単な説明】
【００８０】
【図１】本発明の第１の実施の形態に係る画像印刷装置の概略を示す正面図である。
【図２】図１のII−II線矢視断面図である。
【図３】図１の画像印刷装置で使用される集束性レンズアレイの概略を示す斜視図である。
【図４】図１の画像印刷装置における集束性レンズアレイと発光パネルを示す平面図である。
【図５】図１の部分Ｖを拡大して、第１の実施の形態に係る調整機構の詳細を示す正面図である。
【図６】図５の側面図である。
【図７】第１の実施の形態の変形例の調整機構を示す側面図である。
【図８】図７の調整機構のカムの構成を示す側面図である。
【図９】第１の実施の形態の他の変形例の調整機構を示す側面図である。
【図１０】図９の調整機構のカムの構成を示す側面図である。
【図１１】第２の実施の形態に係る調整機構の詳細を示す正面図である。
【図１２】第２の実施の形態の変形例の調整機構を示す正面図である。
【図１３】第２の実施の形態の他の変形例の調整機構を示す正面図である。
【図１４】第２の実施の形態のさらに他の変形例の調整機構を示す正面図である。
【図１５】本発明に係る画像印刷装置の全体構成の一例を示す縦断面図である。
【図１６】本発明に係る画像印刷装置の全体構成の他の一例を示す縦断面図である。
【符号の説明】
【００８１】
１  画像印刷装置、１０  発光パネル（電気光学パネル）、１１０  感光体ドラム（像担持体）、４０  集束性レンズアレイ、４４  レンズアレイ支持体、２２  フレーム、５０，５０Ａ，５０Ｂ，８０Ａ，８０Ｂ，８０Ｃ  調整機構、５２  第１のピン、５４  第２のピン、５６，５６Ａ，５６Ｂ  カム、６２  第１のカムフォロワ、６４  第２のカムフォロワ、８２，８２Ａ，８２Ｂ，８２Ｃ  ネジ部材、８６  第１のネジ部、８８，８８Ｂ  第２のネジ部、９０  第１のシース（像担持体側移動部）、９２，９２Ａ、９２Ｂ  第２のシース（電気光学パネル側移動部）、５２ａ  オネジ（像担持体側移動部）、５４ａ  オネジ（電気光学パネル側移動部）。
【図１】
2007076028.tif 000003
【図２】
2007076028.tif 000004
【図３】
2007076028.tif 000005
【図４】
2007076028.tif 000006
【図５】
2007076028.tif 000007
【図６】
2007076028.tif 000008
【図７】
2007076028.tif 000009
【図８】
2007076028.tif 000010
【図９】
2007076028.tif 000011
【図１０】
2007076028.tif 000012
【図１１】
2007076028.tif 000013
【図１２】
2007076028.tif 000014
【図１３】
2007076028.tif 000015
【図１４】
2007076028.tif 000016
【図１５】
2007076028.tif 000017
【図１６】
2007076028.tif 000018